(57)【特許請求の範囲】
【請求項１】
皮膚における皮脂の程度を測定する皮脂測定具であって、透光性の採取体、この採取体に照明光を照射する照明手段、結像用のレンズ、このレンズが前記採取体の採取面乃至その近接部位を結像させる位置に配されており、それからの出力値に基づいて皮脂の程度を測定できるようなものとされた受光手段、及び前記採取体の周りを前記照明光の照射方向先側について暗室的に覆い且つ前記採取体を透過した光線を吸収する暗室用キャップを含んでなる皮脂測定具。
【請求項２】
皮膚における皮脂の程度を測定すると共に皮膚の水分測定も行なえるようになっている皮膚性状測定具であって、透光性の採取体、この採取体に照明光を照射する照明手段、結像用のレンズ、このレンズが前記採取体の採取面乃至その近接部位を結像させる位置に配されており、それからの出力値に基づいて皮脂の程度を測定できるようなものとされた受光手段、及び前記採取体の周りを前記照明光の照射方向先側について暗室的に覆い且つ前記採取体を透過した光線を吸収する暗室用キャップを含んでなる皮脂測定系と；接触面を有する検出部を備え、この検出部をその接触面で測定対象部位に接触させつつ皮膚の水分を測定するようにしてなる水分測定系；とを備え、且つ皮脂測定系の採取体と水分測定系の検出部とをそれぞれの採取面と接触面とが同一平面上に配列するように保持したヘッド部を備えてなる皮膚性状測定具。
【発明の詳細な説明】
【０００１】
【発明の属する技術分野】
本発明は、皮膚の性状を簡易に測定するための技術に関する。
【０００２】
【従来の技術】
化粧品の効用をより高めるためには、その人の皮膚の性状を知り、この性状に合わせて化粧品を選択することが大切である。このようなことから、化粧品との関係での皮膚の性状を決める重要な要素の一つである皮脂量を定量的に測定する技術が求められる。このような技術は、例えば特開昭５５−１０４７４１号公報、特開昭６０−１６５５３６号公報、特開平２−２６８７３８号公報などにより既に知られている。
【０００３】
ところで化粧品の選択のために行なう皮脂測定は、化粧品店の店頭などで店員などがユーザーに説明しながら行なわれるのが一般である。そのため皮脂測定については、これを簡易な器具で簡単にしかもできるだけコストを掛けずに行なえるようにすることが望まれる。このような観点からみた場合、上記従来の技術は何れも不十分な点を持つ。例えば特開昭５５−１０４７４１号公報に開示の技術では、スリガラスなどの半透明部片を用い、この半透明部片が皮脂の付着で透明性を変化させることを利用して光学的に皮脂測定を行なうようにしているが、そのために変調した光線を照射するなど複雑な処理を必要とし、その結果、器具の構造が複雑となるを避けられない。またこの技術では、測定操作ごとに半透明部片を測定器具の所定部位に対し着脱させる必要があり、測定操作が煩雑になることも避けられない。
【０００４】
また特開昭６０−１６５５３６号公報に開示の技術では、特殊な脂吸収紙を用い、この脂吸収紙が皮脂の吸収で赤色光に対する反射・吸収特性を変化させることを利用している。つまりこの技術では、特殊な脂吸収紙を必要とし、しかもこの脂吸収紙が測定操作ごとに消耗品となる。このため測定操作がコスト高になるという問題を残し、また上記特開昭５５−１０４７４１号公報に開示の技術と同様に脂吸収紙を測定操作ごとに測定器具の所定部位に対し装着させる必要があって測定操作が煩雑になるいう問題を残している。このことは特開平２−２６８７３８号公報に開示の技術についても言える。すなわち特開平２−２６８７３８号公報に開示の技術では、皮脂により変色するように処理した皮脂採取チップを用い、この皮脂採取チップに赤外線を照射して皮脂量を測定するようにしており、特開昭６０−１６５５３６号公報に開示の技術と同様の問題を残している。
【０００５】
【発明が解決しようとする課題】
以上のような事情を背景になされたのが本発明で、簡単にしかも測定操作ごとの消耗品を発生させることなく皮脂測定を可能とする皮脂測定方法の提供を目的としている。また本発明は、このような皮脂測定方法に用いる皮脂測定具の提供を目的としている。さらに本発明は、前記のような皮脂測定と同時的に皮膚の水分測定も行なえる皮膚性状測定具の提供を目的としている。
【０００６】
【課題を解決するための手段】
本発明による皮脂測定方法は、採取体を皮膚に押接させることで採取体の採取面に付着させた皮脂の量を光学的に計測することで皮膚における皮脂の程度を測定することを基本とし、採取体として透光性の採取体を用い、この採取体に照明光を照射すると共に、前記採取面に付着の皮脂からの反射光を前記採取面乃至その近接部位を結像させるレンズを介して受光手段で受光し、そして受光手段からの出力値に基づいて皮脂の程度を測定するようにしてなっている。
【０００７】
この方法は、皮膚における皮脂の程度に応じて採取体に付着する皮脂の量、特に面積的な量が変化することを利用している。すなわち皮脂は真皮にある皮脂腺から分泌され、分泌された皮脂は分泌量に応じて皮脂腺の分泌口を中心に周囲に広がるようになっているので、皮脂の分泌量が多くなるのに応じて採取体に付着する皮脂の面積が大きくなる。そしてこれに比例して採取体に付着の皮脂からの反射光量が多くなり、これが受光手段の出力に反映される。
【０００８】
このような本発明による方法では、採取体に例えば汎用材であるガラスや透明プラスチックを用いることができるし、また使用後に皮脂を拭き取るだけで採取体を繰り返し使用することができる。したがって測定操作ごとの消耗品を発生させることがない。またこの方法では、照明光はどのような光であってもよく、したがって汎用的なランプを光源として用いることができ、器具の構造を簡易なものとすることができる。さらにこの方法では、採取体を器具に固定的に設けることが可能である。つまり皮脂の採取に際して採取体を器具とは別個に扱う必要がなく、測定操作を簡略にすることができる。すなわちこの方法によると、器具の簡易化が可能であり、また測定操作の簡略化を図ることができ、しかも測定操作ごとの消耗品の発生を避けることもできる。
【０００９】
上記のような皮脂測定方法に用いる本発明による皮脂測定具は、透光性の採取体、この採取体に照明光を照射する照明手段、結像用のレンズ、このレンズが前記採取体の採取面乃至その近接部位を結像させる位置に配された受光手段、及び前記採取体の周りを前記照明光の照射方向先側について暗室的に覆い且つ前記採取体を透過した光線を吸収する暗室用キャップを備えてなる。
【００１０】
また上記のような皮脂測定方法による皮脂測定と同時的に皮膚の水分測定も行なうことを可能とする本発明による皮膚性状測定具は、透光性の採取体、この採取体に照明光を照射する照明手段、結像用のレンズ、このレンズが前記採取体の採取面乃至その近接部位を結像させる位置に配された受光手段、及び前記採取体の周りを前記照明光の照射方向先側について暗室的に覆い且つ前記採取体を透過した光線を吸収する暗室用キャップを含んでなる皮脂測定系と；接触面を有する検出部を備え、この検出部をその接触面で測定対象部位に接触させつつ皮膚の水分を測定するようにしてなる水分測定系；とを備え、且つ皮脂測定系の採取体と水分測定系の検出部とをそれぞれの採取面と接触面とが同一平面上に配列するように保持したヘッド部を備えてなる。
【００１１】
この皮膚性状測定具で皮脂測定と皮膚の水分測定を同時的に行なうには、先ずヘッド部を測定対象の部位に押接させる。この状態を例えば１秒程度の時間維持すると、検出部を介した水分測定がなされると同時に、採取体の採取面に皮膚の性状に応じた量の皮脂が付着する。次いで暗室用キャップで採取体を覆った後に皮脂測定系を作動させて皮脂の測定を行なう。
【００１２】
【実施の形態】
以下、本発明の実施形態を説明する。第１の実施形態で用いる皮脂測定具は、図１に示すように、本体測定器１と暗室用キャップ２とからなる。
【００１３】
本体測定器１は、細長い筒状としたケーシング３を有する。このケーシング３の一端面には透明なガラス板を用いた採取体４がその採取面４ｆの側を若干突出させる状態にして固定的に取り付けられている。またケーシング３の内部には、照明手段であるランプ５が設けられると共に、レンズ６と受光素子７を保持させた鏡筒８が設けられている。
【００１４】
ランプ５は、鏡筒８の脇に沿って配列され、採取体４にその採取面４ｆの反対側から照明光を照射できるようにされている。レンズ６と受光素子７は、レンズ６が採取体４の採取面４ｆ乃至その近接部位を結像させる像面に受光素子７の受光面７ｆが位置する関係に配置されている。つまり採取体４の採取面４ｆからの光線だけを効率的に受光素子７に受光させる関係とされている。
【００１５】
暗室用キャップ２は、一端側を開放させた短筒状に形成され、例えば黒ビロード張りのような光を吸収し易い処理がその内周面に施されている。したがってこれを本体測定器１に被せれば採取体４の周りをランプ５からの照明光の照射方向先側について暗室化することができる。
【００１６】
このような皮脂測定具を用いて皮脂の測定を行なうには、先ず本体測定器１を手に持ってその採取体４の採取面４ｆを皮膚に押接させる。これにより皮膚の表面における皮脂の量に応じて皮脂が採取面４ｆに付着する。この状態を模式化して示すと図３のようになる。（ａ）は、皮脂が過少の場合で皮脂Ｌは点状でまばらに付着し、（ｂ）は、皮脂が中程度の場合で点状の皮脂Ｌが比較的密に付着し、（ｃ）は、皮脂が過剰の場合で皮脂Ｌは膜状に付着する。このように採取体４に皮脂を付着させたら、暗室用キャップ２を本体測定器１に被せてランプ５を点灯させる。ランプ５から照射される照明光は、もし採取体４の採取面４ｆに何も付着していなければ、採取体４が固有の特性として持つ反射率に応じた反射を除いて、全て採取体４を透過して暗室用キャップ２の内部に出射し、そこで吸収される。一方、採取体４の採取面４ｆに皮脂が図２のように付着していれば、その付着量に応じて照明光が反射される。
【００１７】
この反射光は、上記のようにレンズ６により受光素子７の受光面４ｆに結像するようになっているので、レンズ６を介して受光素子７により効率的に受光され、この受光程度に応じた出力変化を受光素子７から得ることができる。そしてこの出力変化から採取体４の採取面４ｆに付着した皮脂量、つまり測定対象の皮膚における皮脂量を測定することができる。この測定結果は、例えば皮脂の多寡を３乃至１０段階区分で表示したり、あるいは単位面積当たりの皮脂重量に換算して表示したりすることになる。
【００１８】
図２に示すのは、第２の実施形態における皮脂測定具である。この実施形態による皮脂測定具は、基本的には第１の実施形態と同じで、本体測定器１１と暗室用キャップ１２とからなる。第１の実施形態と相違する点は、採取体４をその採取面４ｆが外側になるようにして暗室用キャップ１２に固定的に取り付けるようにし、これに応じて本体測定器１１の一端面に計測開口１３を設け、暗室用キャップ１２を本体測定器１１に被せた際に採取体４が計測開口１３に嵌まり込むようにしたことである。したがってこの場合には、暗室用キャップ１２を手に持ってその採取体４の採取面４ｆを皮膚に押接させ、それから暗室用キャップ１２を本体測定器１１に被せて上記と同様に測定を行なう。
【００１９】
図４及び図５に示すのは、本発明の一実施形態による皮膚性状測定具である。この皮膚性状測定具は、細長い筒状としたケーシング２１を有する本体部２２にキャップ部２３を矢印Ｘの如く回動可能に接続した構造を持つ。その本体部２２には、皮脂測定系Ａと、水分測定系Ｂとが組み込まれている。
【００２０】
皮脂測定系Ａは、第１の実施形態による皮脂測定具と基本的に同様な構造を持ち、透明なガラス板を用いた採取体２４、照明手段であるランプ２５、鏡筒２６に保持させたレンズ２７と受光素子２８、それにキャップ部２３を兼用した暗室用キャップ２９とからなる。
【００２１】
一方、水分測定系Ｂは、静電容量式で、図６に示すように、所定の間隔を空けて対で設けられた複数の電極３１からなる電極群を絶縁体層３２で被覆した構造の検出部３３と、この検出部３３に電圧を印加し、また検出部３３からの出力を処理する制御ユニット３４を備える。そして検出部３３を測定対象部位に接触させると、図７に示すように、各電極３１からの電気力線Ｆが一定の深さまで測定対象部位の皮膚Ｓを透過し、この電気力線Ｆの透過する部分における水分に応じて各電極対の間に一定の静電容量が生じ、これらの集計としての静電容量Ｃに基づいて測定対象物の水分を検出することができる。
【００２２】
これら皮脂測定系Ａの採取体２４と水分測定系Ｂの検出部３１は、本体部２２の先端に設けてあるヘッド部３５に、それぞれの採取面２４ｆと接触面３１ｆとが同一平面上に配列するようにして保持されている。またこのヘッド部３５は、矢印Ｙの如き出没動をなせるようにされると共に、スプリング３６により出動方向に付勢されており、通常は出っ張った状態にあり、測定対象部位に押接させた際にスプリング３６の付勢力に抗して引っ込むようにされている。
【００２３】
この皮膚性状測定具は以下のようにして用いられる。先ずキャップ部２３を外してヘッド部３５を測定対象部位に押接させる。この際にヘッド部３５は、上記のようにスプリング３６の付勢力に抗して引っ込み、これに応じて測定対象部位に対し、検出部３１の接触面３１ｆと採取体２４の採取面２４ｆが一定の圧力で押接する。この状態を１秒程度維持すると水分測定系Ｂにより水分測定がなされると同時に採取面２４ｆに皮脂が付着する。それからヘッド部３５を測定対象部位から離し、皮脂測定を行なう。それには暗室用キャップ２９を被せ、それから皮脂測定系を作動させる。
【００２４】
【発明の効果】
以上のように本発明によると、皮脂測定器具の簡易化が可能であり、また測定操作の簡略化を図ることができ、しかも測定操作ごとの消耗品の発生もない。また本発明によると、このような皮脂測定に併せて水分測定も行なうことができる。したがって本発明によると、化粧品の選択の指標などとしての皮膚の性状測定をより手軽なものとすることができる。
【図面の簡単な説明】
【図１】第１の実施形態による皮脂測定具の簡易化した断面図。
【図２】第２の実施形態による皮脂測定具の簡易化した断面図。
【図３】採取体への皮脂の付着状態についての模式図。
【図４】一実施形態による皮膚性状測定具の簡易化した断面図。
【図５】図４中の矢印ＤＡ方向から見た一部省略の側面図。
【図６】検出部の拡大模式図。
【図７】検出部の機能説明図。
【符号の説明】
２  暗室用キャップ
４  採取体
4f  採取面
５  ランプ（照明手段）
６  レンズ
７  受光手段
２４  採取体
24f  採取面
２５  ランプ（照明手段）
２７  レンズ
２８  受光手段
２９  暗室用キャップ
３５  ヘッド部
Ａ  皮脂測定系
Ｂ  水分測定系
【図１】
0003723294.tif 000002
【図２】
0003723294.tif 000003
【図３】
0003723294.tif 000004
【図４】
0003723294.tif 000005
【図５】
0003723294.tif 000006
【図６】
0003723294.tif 000007
【図７】
0003723294.tif 000008